(57)【特許請求の範囲】
【請求項１】
原稿トレイから１枚ずつ分離して給紙される原稿を、読取部を通過させながら読み取る原稿読取装置であって、
前記読取部のプラテンガラスを、原稿の搬送方向下流部で支持している支持部材、
を備えており、
前記支持部材は、掘り込んだ状態の溝部を有しており、
前記プラテンガラスは、前記溝部の突部によって支持されるとともに、前記突部に対して前記搬送方向の下流側に突出するように構成されており、
前記プラテンガラスと前記支持部材との間の隙間部から落下した異物は、前記溝部に収容されることを特徴とする原稿読取装置。
【請求項２】
前記読取部のプラテンガラスを原稿の搬送方向下流部で支持している支持部材と、読取部との間にフィルム部材を配置したことを特徴とする請求項１に記載の原稿読取装置。
【発明の詳細な説明】
【０００１】
【発明の属する技術分野】
本発明は、電子写真複写機やファクシミリ装置の読取装置において、原稿の画像の読取りを行うＡＤＦに設け、原稿から落下する紙粉等が走査装置に付着することを防止する装置に関する。
【０００２】
【従来の技術】
従来より、ファクシミリ装置や複写機のような画像形成装置においては、コピーを作成する機能を有する画像形成部に組み合わせて、原稿の画像を読み取るための読取装置を設けている。前記読取装置においては、原稿の画像を読み取った情報を前記画像形成部に向けて伝達し、コピー作成の情報として用いることの他に、ファクシミリ機能を用いて、相手先のファクシミリ装置に画像情報を送信するために用いるようにする。前記読取装置には、ブックものの原稿をプラテンガラスにセットし、その下面で走査装置を移動させながら読取りを行う方式のＦＢＳ（フラットベッドスキャナ）と、走査装置をＡＤＦ用プラテンガラスの下方に固定しておき、移動する原稿の読取りを行うＡＤＦ（自動原稿搬送装置）とが用いられている。前記２種類のスキャナ機構を組み合わせて、ブックものとシートもの原稿の双方を読取りできるようにすることは、多くの読取装置に設けられているものである。
【０００３】
前記ＡＤＦにおいては、原稿トレイと排出トレイを上下に配置し、前記２つのトレイの間に横向きＵ字状の原稿搬送路を設けているもので、前記原稿搬送路の途中の部分にＡＤＦ用プラテンガラスを設け、走査装置を固定した状態で読取りを行う読取部を設けている。前記ＡＤＦに設ける読取部では、ＡＤＦ用プラテンガラスに対して原稿の画像面を摺動させるようにして搬送し、その下部に配置した走査装置から光を照射して、多数のミラー等を用いて光を反射させ、レンズにより結像させた光情報を、ＣＣＤ（電荷結合素子）からデジタル信号として出力させている。
【０００４】
【発明が解決しようとする課題】
前記ＡＤＦを用いて読取りを行う原稿には、鉛筆書きや鉛筆等で修正したものや、原稿面に修正液を塗ったものの他に、消しゴムの滓が付着したままのもの等が用いられることがあり、その他に、用紙の種類によっては、紙に含まれる粉状のものが、容易に分離しやすい性質を持つものがある。前記原稿に付着した粉状のもの（紙粉）等が分離しやすい原稿は、前記ＡＤＦ用プラテンガラスに摺動される部分で、原稿に対する曲げ作用が強く付与されることと、前記ＡＤＦ用プラテンガラスに摺動させることで、紙粉の分離される量が多くなる。
【０００５】
また、前記ＡＤＦの読取部は、湾曲路の下部に設けられていることから、原稿搬送路で搬送される際に、ガイド板等に摺動して分離された紙粉等も、前記プラテンガラスの部分に集められるという問題がある。そして、前記原稿から分離された紙粉等がプラテンガラスに付着して、読取り面を汚すことにより、読み取った画像の画質に影響が発生することがある。さらに、前記原稿から分離した紙粉等が、プラテンガラスと支持部材の間の隙間から落下して、走査装置のミラー等に付着すると、読み取った画像情報に汚れの情報が含まれて、画質の劣化という重大な問題が発生する。
【０００６】
本発明は、ＡＤＦにおいて、紙粉が付着することによる読取り画像の汚れの問題を解消しようとするもので、ＡＤＦ用プラテンガラスの下部に紙粉等が落下することを防止できる手段を提供することを目的としている。
【０００７】
【課題を解決するための手段】
本発明は、原稿トレイから１枚ずつ分離して給紙される原稿を、読取部を通過させながら読み取る原稿読取装置に関する。本願明細書に記載された発明は、読取部のプラテンガラスを支持する支持部材に紙粉落下防止部材を配置したことを特徴とする。したがって、原稿から分離した紙粉が、支持部材とＡＤＦ用プラテンガラスの隙間から落下することを防止できるので、読取画像に悪影響が生じることがなく、鮮明な画像情報を得ることができる。
【０００８】
請求項１の発明は、前記読取部のプラテンガラスを、原稿の搬送方向下流部で支持している支持部材、を備えており、前記支持部材は、掘り込んだ状態の溝部を有しており、前記プラテンガラスは、前記溝部の突部によって支持されるとともに、前記突部に対して前記搬送方向の下流側に突出するように構成されており、前記プラテンガラスと前記支持部材との間の隙間部から落下した異物は、前記溝部に収容されることを特徴とする。そして、ＡＤＦ用プラテンガラス端部に紙粉をまとめて収容することができるので、走査装置に紙粉が落下して付着することを防止でき、ミラー等が汚れることによる悪影響を防ぐことが可能となる。
【０００９】
請求項２の発明は、前記読取部のプラテンガラスを原稿の搬送方向下流部で支持している支持部材と、読取部との間にフィルム部材を配置したことを特徴とする。そして、前記フィルム部材が隙間を塞ぐことで、ＡＤＦ用プラテンガラスの下部に紙粉が落下することを、より効果的に防止できる。
【００１０】
【発明の実施の形態】
図示される例にしたがって、本発明の画像読取装置の構成を説明するが、最初に、本発明のシート搬送装置を組み込むＡＤＦの構成を、図１、２にしたがって説明する。図示する画像読取装置１は、ＦＢＳ（フラットベッドスキャナ）機能に対応させたプラテンガラス３と、ＡＤＦ（自動原稿搬送装置）機能に対応させたＡＤＦ用プラテンガラス４とを本体フレーム２の上部に配置しており、前記本体フレーム２の内部に移動可能なスキャナー装置５を設けている。前記スキャナー装置５をＦＢＳに対応させて用いる場合には、図示を省略した駆動手段により定速で移動しながら、ＡＤＦ用プラテンガラス４の上にセットした原稿の画像を読取る。また、ＡＤＦ機能を用いる場合には図の仮想線で示した位置にスキャナー装置５を固定し、ＡＤＦ機能を用いて搬送される原稿の画像を読み取るようにする。
【００１１】
前記スキャナー装置５には、原稿の画像面を照射するランプ６と、複数のミラーｍ１〜ｍ４と、ＣＣＤ８に光を結像させるレンズ７とを配置しており、前記ＣＣＤ８により光信号をデジタル信号に変換して、画像読取装置の画像信号処理手段にその信号の伝達を行う。前記画像読取装置に伝達される前記画像信号は、複写機の記録部において、感光体に対する画像書込み信号として用いることの他に、ファクシミリ機能を設けた画像形成装置の場合には、電話回線を通して他のファクシミリ装置に向けて送信することも可能である。
【００１２】
前記本体フレーム２の上部にはプラテンカバー１０とＡＤＦ装置２０とを一体に組み合わせて、本体フレームのリヤ側端部に配置したヒンジ部（図示を省略）を介して開閉可能に設けている。そして、前記ＦＢＳ機能を用いる際には、プラテンガラス３上に原稿をセットしてプラテンカバー１０の弾性体１１により押圧し、画像面をプラテンガラス３上に密着させて画像の読取りを行わせる。また、前記プラテンカバー１０の上面には排出トレイ１３を配置し、その排出トレイ１３の上部には原稿トレイ１２を設けて、前記排出トレイ１３と原稿トレイ１２とをＡＤＦ装置２０に対応させて設けている。前記ＡＤＦ装置２０は、原稿トレイ１２に接続される原稿挿入口１４から、横向きの略Ｕ字状の搬送路を設けており、ＡＤＦ用プラテンガラス４に至る原稿搬送路２１と、読取部２２から排出トレイ１３に至る排出路２４を設け、前記原稿搬送路内での原稿の搬送のためのローラ装置を設けている。
【００１３】
前記原稿搬送路に配置するローラ装置は、原稿挿入口１４に対して配置するピックアップローラ３０と用紙さばき装置３１、搬送ローラ装置３２およびＡＤＦ用プラテンガラス４の上下流部に配置する２つの読取ローラ装置３３、３４および、排出口に設けた排出ローラ装置３５とから構成される。そして、前記ピックアップローラ３０により原稿トレイ１２から原稿を取り込み、用紙さばき装置３１で用紙さばき作用を行い、１枚に分離した原稿を原稿搬送路に向けて送り込む。前記原稿搬送路２１では、原稿を搬送ローラ装置３２により読取ローラ装置３３に向けて搬送し、ＡＤＦ用プラテンガラス４の下流部に配置する読取ローラ装置３４との間で原稿を定速で搬送しながら、ＡＤＦ用プラテンガラス４の位置に固定されているスキャナー装置５により画像の読取りを行う。読取りが終了した原稿は、前記読取ローラ装置３４により排出ローラ装置３５に送られ、前記排出ローラ装置３５により排出トレイ１３に排出される。
【００１４】
前記ＡＤＦ装置２０は、画像読取装置のフレーム２の上部に設けたヒンジ２７を介して、上部フレーム２５を開閉可能に設けており、前記上部フレーム２５の上面にカバー部材２６を設けている。また、前記ＡＤＦ装置２０に設ける略Ｕ字状の搬送路で、その内側に配置する内側フレーム２８も、図示を省略する支軸を中心にして揺動可能に設けている。そして、読取部２２や排出路２４の部分での用紙のジャム等が生じた時には、前記上部フレーム２５と内側フレーム２８とを各々開いて、メンテナンスの作業を行うようにする。前記搬送路のうち、原稿搬送路２１は上部フレーム２５に設けたガイド板２５ａと、内側フレーム２８の外面のガイド面２８ａにより区画されて、原稿を読取部２２に向けて案内する。
【００１５】
前記読取部２２においては、原稿の裏面を摺動させる原稿押圧部２３をＡＤＦ用プラテンガラス４に対応させて設けており、読取ローラ装置３３、３４により搬送される原稿を、前記原稿押圧部２３に摺動させる状態で案内する。そして、前記ＡＤＦ用プラテンガラス４の下面に固定している走査装置により、原稿の画像の読取を行うようにする。前記読取部２２においては、ＡＤＦ用プラテンガラス４の原稿搬送方向の上流側では、フレームから突出させた支持部材を用いて支持し、下流側をペーパーガイド３６により支持しており、ガラス端部とペーパーガイドの支持面との間を密着させることができないために、前記ペーパーガイド３６とＡＤＦ用プラテンガラス４の間には、若干の隙間が形成される状態となっている。
【００１６】
ところが、湾曲された原稿搬送路を通る際に、曲げ作用や摺動作用が加えられるために、前記原稿搬送路２１を搬送される原稿に付着していた消しゴムのかすや、その他の粉状の付着物が分離されやすいという問題がある。これに対して、前記読取部２２は、原稿搬送路２１の湾曲部の下部に位置されていることから、前記湾曲路で原稿から分離された紙粉やその他の粉状の異物が、読取部２２に溜まり易く、前記ＡＤＦ用プラテンガラス４とペーパーガイド３６の隙間から落下し、スキャナー装置５のミラー等に付着することで、ミラーによる光の反射に支障が生じることがある。
【００１７】
そこで、本実施例においては、図３に示すように、ペーパーガイド３６とＡＤＦ用プラテンガラス４との間の隙間部に、前記ペーパーガイドに掘り込んだ状態の溝部３７を設けておき、原稿から分離された紙粉等の粉状の異物を、前記溝部３７に収容するようにしている。また、前記ペーパーガイド３６においては、ＡＤＦ用プラテンガラス４の下流側の端部を支持面３６ａで受けて位置決めし、突部３６ｂがプラテンガラスの下面を支持することで、ＡＤＦ用プラテンガラス４と突部３６ｂとの間には大きな隙間が形成されないようにする。したがって、前記図３に示すように、ペーパーガイド３６とＡＤＦ用プラテンガラス４との間に、粉状の異物が落下したとしても、その異物を溝部３７に収容することで、ＡＤＦ用プラテンガラス４の下部には落下させず、スキャナー装置５のミラー等に異物が付着するという問題が発生することを防止できる。なお、前述したように、溝部３７に異物を収容しておいた場合に、装置のメンテナンスを行う時等にＡＤＦ用プラテンガラス４を外すと、ペーパーガイド３６が露出されるのであるから、ブラシ等を用いて溝部３７から異物を除去することが可能である。
【００１８】
図４に示す例は、ペーパーガイド３６に貼付けたシート状の封止部材３８を用いて、ＡＤＦ用プラテンガラス４とペーパーガイド３６の間に隙間が生じないようにする例を示している。前記封止部材３８は薄くて腰の強いプラスチック製のフィルムを用いており、ペーパーガイド３６の先端部に形成した斜めの面３６ｃに貼付けて、その先端部をＡＤＦ用プラテンガラス４の下面に向けて突出させ、封止部材３８の先端部をＡＤＦ用プラテンガラス４に下から押圧させるように取付ける。したがって、前記読取部２２において、ＡＤＦ用プラテンガラス４に摺動した原稿が、紙粉等の異物をペーパーガイド３６との接続部に落としたとしても、前記ペーパーガイド３６とＡＤＦ用プラテンガラス４との隙間に落ち込んだ異物をペーパーガイド３６と封止部材３８の間に保持させることができるので、任意の時期にその異物を除去すれば良いことになる。
【００１９】
図５には、前記図３に示した溝部３７と、図４に示した封止部材３８とを組み合わせて配置し、プラテンガラスの下面への異物の落下をより良好に行い得るようにする例を示している。この実施例において、ペーパーガイド３６に設ける溝部３７は、任意の形状の凹部や溝として構成することができるものであり、ＡＤＦ用プラテンガラス４に対応する支持面３６ａと突部３６ｂを、前記図４と同様に構成できる。また、封止部材３８を貼り付けるための斜めの面３６ｃは、前記図５と同様に、任意の角度で形成する傾斜面とすることが可能である。前記図６に示すように、２種類の異物の落下防止手段を設ける場合には、原稿に書き込んだ鉛筆のかすや紙の充填材として用いられている粘土等のように、非常に細かい粉状の異物等がスキャナー装置に落下することも容易に防止できる。そして、原稿から分離された細かい粉状の異物がＡＤＦ用プラテンガラス４の下面にまで落下して、スキャナー装置の光学系に悪影響を与えたり、ＡＤＦ用プラテンガラス４の下面を汚したりすることを防止できる。
【００２０】
【発明の効果】
本発明の装置は、前述したように構成したものであるから、読取部のプラテンガラスを支持する支持部材に紙粉落下防止部材を配置したことにより、原稿から分離した紙粉が、支持部材とＡＤＦ用プラテンガラスの隙間から落下することを防止できるので、読取画像に悪影響が生じることがなく、鮮明な画像情報を得ることができる。また、ＡＤＦの読取部のプラテンガラスを、原稿の搬送方向下流部で支持している支持部材に、凹所を設けているので、ＡＤＦ用プラテンガラス端部に紙粉をまとめて収容することができるので、走査装置に紙粉が落下して付着することを防止でき、ミラー等が汚れることによる悪影響を防ぐことが可能となる。さらに、読取部のプラテンガラスを原稿の搬送方向下流部で支持している支持部材と、読取部との間にフィルム部材を配置することにより、前記フィルム部材が隙間を塞ぐことで、ＡＤＦ用プラテンガラスの下部に紙粉が落下することを、より効果的に防止できる。
【図面の簡単な説明】
【図１】  画像読取装置の構成を示す説明図である。
【図２】  画像読取装置に設けるＡＤＦの構成を示す説明図である。
【図３】  読取部の構成の説明図である。
【図４】  読取部の別の構成の説明図である。
【図５】  読取部の他の構成の説明図である。
【符号の説明】
１    画像読取装置、  ２    フレーム、  ３・４    プラテンガラス、
５    スキャナー装置、  ６    ランプ、  ７    レンズ、  ８    ＣＣＤ、
１０    プラテンカバー、  １１    弾性体、  １２    原稿トレイ、
１３    排出トレイ、  １４    原稿挿入口、  ２０    ＡＤＦ、
２１    原稿搬送路、  ２２    読取部、  ２３    原稿押圧部、
２４    排出路、  ２５    上部フレーム、  ２６    カバー部材、
２７    ヒンジ、  ２８    内側フレーム、  ３０    ピックアップローラ、
３１    用紙さばき装置、  ３２    搬送ローラ装置、
３３・３４    読取ローラ装置、  ３５    排出ローラ装置、
３６    ペーパーガイド、  ３７    溝部、  ３８    封止部材。
【図１】
0004135315.tif 000002
【図２】
0004135315.tif 000003
【図３】
0004135315.tif 000004
【図４】
0004135315.tif 000005
【図５】
0004135315.tif 000006